(57)【要約】【課題】  モーターの起動時の消費電力の低減を図る。【解決手段】  モーター７の起動が開始されると想定される通常起動電流Ｉnorより低い初期起動電流Ｉminをモーター駆動手段６からモーターに供給し、モーターの起動のために最大限必要と想定される最大起動電流Ｉmaxを上限として、モーターの起動が開始されるまで段階的に電流値を引き上げて起動電流をモーター駆動手段からモーターに供給し、モーターの起動が開始された時点で起動電流の供給を停止し、初期起動電流の供給の開始から最大起動電流の供給の停止までの電流供給時間Ｔmaxを所定の時間に制限した。【選択図】        図２
2005102386.tif 000002
【特許請求の範囲】
【請求項１】
モーターと該モーターに起動電流を供給するモーター駆動手段と該モーター駆動手段に電流供給信号を送出しモーター駆動手段からモーターに供給される電流値を制御する駆動処理手段とを備えたモーター駆動装置であって、
モーターの起動が開始されると想定される通常起動電流より低い初期起動電流をモーター駆動手段からモーターに供給し、
モーターの起動のために最大限必要と想定される最大起動電流を上限として、モーターの起動が開始されるまで段階的に電流値を引き上げて起動電流をモーター駆動手段からモーターに供給し、
モーターの起動が開始された時点で起動電流の供給を停止し、
初期起動電流の供給の開始から最大起動電流の供給の停止までの電流供給時間を所定の時間に制限した
ことを特徴とするモーター駆動装置。
【請求項２】
上記所定の時間内にモーターの起動が開始されなかったときに、通常起動電流以上の初期起動電流をモーター駆動手段からモーターに供給するようにした
ことを特徴とする請求項１に記載のモーター駆動装置。
【請求項３】
上記駆動処理手段に対して指令信号を送出し駆動処理手段に所定の処理を実行させ上記電流供給時間の所定の時間を設定する駆動制御手段を備えた電子機器に設けられ、
駆動制御手段によって設定された電流供給時間を上限として駆動処理手段からモーター駆動手段に電流供給信号を送出するようにした
ことを特徴とする請求項１に記載のモーター駆動装置。
【請求項４】
モーターと該モーターに起動電流を供給するモーター駆動手段と該モーター駆動手段に電流供給信号を送出しモーター駆動手段からモーターに供給される電流値を制御する駆動処理手段とを有するモーター駆動装置を備えた電子機器であって、
モーターの起動が開始されると想定される通常起動電流より低い初期起動電流をモーター駆動手段からモーターに供給し、
モーターの起動のために最大限必要と想定される最大起動電流を上限として、モーターの起動が開始されるまで段階的に電流値を引き上げて起動電流をモーター駆動手段からモーターに供給し、
モーターの起動が開始された時点で起動電流の供給を停止し、
初期起動電流の供給の開始から最大起動電流の供給の停止までの電流供給時間を所定の時間に制限した
ことを特徴とする電子機器。
【請求項５】
上記所定の時間内にモーターの起動が開始されなかったときに、通常起動電流以上の初期起動電流をモーター駆動手段からモーターに供給するようにした
ことを特徴とする請求項４に記載の電子機器。
【請求項６】
上記駆動処理手段に対して指令信号を送出し駆動処理手段に所定の処理を実行させる駆動制御手段を備え、
該駆動制御手段によって上記電流供給時間の所定の時間を設定するようにした
ことを特徴とする請求項４に記載の電子機器。
【請求項７】
モーターと該モーターに起動電流を供給するモーター駆動手段と該モーター駆動手段に電流供給信号を送出しモーター駆動手段からモーターに供給される電流値を制御する駆動処理手段とを備えたモーター駆動装置におけるモーター駆動方法であって、
モーターの起動が開始されると想定される通常起動電流より低い初期起動電流の供給の開始からモーターの起動のために最大限必要と想定される最大起動電流の供給の停止までの電流供給時間を所定の時間に制限し、
初期起動電流をモーター駆動手段からモーターに供給し、
最大起動電流を上限として、モーターの起動が開始されるまで段階的に電流値を引き上げて起動電流をモーター駆動手段からモーターに供給し、
モーターの起動が開始された時点で起動電流の供給を停止するようにした
ことを特徴とするモーター駆動方法。
【請求項８】
上記所定の時間内にモーターの起動が開始されなかったときに、通常起動電流以上の初期起動電流をモーター駆動手段からモーターに供給するようにした
ことを特徴とする請求項７に記載のモーター駆動方法。
【請求項９】
上記駆動制御手段によって設定された電流供給時間を上限として駆動処理手段からモーター駆動手段に電流供給信号を送出するようにした
ことを特徴とする請求項７に記載のモーター駆動方法。
【発明の詳細な説明】
【技術分野】
【０００１】
本発明はモーター駆動装置、電子機器及びモーター駆動方法についての技術分野に関する。詳しくは、所定の時間に設定された電流供給時間内において供給される起動電流を段階的に引き上げて、モーターの起動時の消費電力の低減を図る技術分野に関する。
【背景技術】
【０００２】
ハードディスク装置等のモーターを備えた種々のモーター駆動装置があり、このようなモーター駆動装置はディスクプレーヤー等の音響装置、ビデオカメラ等の撮像装置、パーソナルコンピューター等の情報処理装置等の各種の電子機器に搭載されている。
【０００３】
モーター駆動装置には、モーターの他に、該モーターに起動電流を供給するモーター駆動手段、例えば、モーター駆動ＩＣ（Integrated Circuit）とモーター駆動手段に電流供給信号を送出する駆動処理手段、例えば、ＭＰＵ（Micro Processing Unit）とを備えているものがある。
【０００４】
このようなモーター駆動装置において、特に、バッテリー駆動によりモーターが回転されるものにあっては、バッテリーの駆動時間の長時間化を図るために、消費電力を可能な限り小さくすることが必要とされる。特に、モーターの起動時における消費電力は大きいため、この消費電力の低減は重要とされる。
【０００５】
そこで、従来のモーター駆動装置においては、消費電力の低減を図るために、はじめにモーターに供給する初期起動電流を小さく設定し、モーターが起動するまで段階的に電流値を上昇させる方法が提案されている（例えば、特許文献１参照）。
【０００６】
【特許文献１】特許第２７０４０５７号明細書（第３図）
【発明の開示】
【発明が解決しようとする課題】
【０００７】
ところで、上記した従来のモーター駆動装置にあっては、モーターの起動のために最大限必要と想定される最大起動電流（最大電流値）が設定されているが、モーター駆動装置の存在下における各種の条件、例えば、温度、湿度等の外部環境やモーター自体の寿命やモーターの各部品の劣化状態等によっては、最大起動電流によってもモーターの起動が開始されない場合も生じ得る。
【０００８】
ところが、従来のモーター駆動装置にあっては、モーターの起動が開始されるまで電流値を段階的に引き上げ、最大起動電流によってもモーターの起動が開始されなければ、この最大起動電流がモーターに継続して供給されてしまう。従って、この場合には、無駄な電力が消費されてしまい、消費電力の低減を阻害することになる。
【０００９】
また、初期起動電流の供給から最大起動電流の供給までの時間が一定の時間内に定められていない場合には、初期起動電流の供給から最大起動電流の供給までの時間が長くなると、その分、モーターの起動までの時間が長くなってしまうという不具合を生じる。
【００１０】
そこで、本発明モーター駆動装置、電子機器及びモーター駆動方法は、上記した問題点を克服し、モーターの起動時の消費電力の低減を図ることを課題とする。
【課題を解決するための手段】
【００１１】
本発明モーター駆動装置及び電子機器は、上記した課題を解決するために、モーターの起動が開始されると想定される通常起動電流より低い初期起動電流をモーター駆動手段からモーターに供給し、モーターの起動のために最大限必要と想定される最大起動電流を上限として、モーターの起動が開始されるまで段階的に電流値を引き上げて起動電流をモーター駆動手段からモーターに供給し、モーターの起動が開始された時点で起動電流の供給を停止し、初期起動電流の供給の開始から最大起動電流の供給の停止までの電流供給時間を所定の時間に制限したものである。
【００１２】
また、本発明モーター駆動方法は、上記した課題を解決するために、モーターの起動が開始されると想定される通常起動電流より低い初期起動電流の供給の開始からモーターの起動のために最大限必要と想定される最大起動電流の供給の停止までの電流供給時間を所定の時間に制限し、初期起動電流をモーター駆動手段からモーターに供給し、最大起動電流を上限として、モーターの起動が開始されるまで段階的に電流値を引き上げて起動電流をモーター駆動手段からモーターに供給し、モーターの起動が開始された時点で起動電流の供給を停止するようにしたものである。
【００１３】
従って、本発明モーター駆動装置、電子機器及びモーター駆動方法にあっては、所定の時間に制限された電流供給時間内において、モーター駆動手段からモーターに起動電流が供給される。
【発明の効果】
【００１４】
本発明モーター駆動装置は、モーターと該モーターに起動電流を供給するモーター駆動手段と該モーター駆動手段に電流供給信号を送出しモーター駆動手段からモーターに供給される電流値を制御する駆動処理手段とを備えたモーター駆動装置であって、モーターの起動が開始されると想定される通常起動電流より低い初期起動電流をモーター駆動手段からモーターに供給し、モーターの起動のために最大限必要と想定される最大起動電流を上限として、モーターの起動が開始されるまで段階的に電流値を引き上げて起動電流をモーター駆動手段からモーターに供給し、モーターの起動が開始された時点で起動電流の供給を停止し、初期起動電流の供給の開始から最大起動電流の供給の停止までの電流供給時間を所定の時間に制限したことを特徴とする。
【００１５】
従って、モーターの起動が開始されなかった場合においても最大起動電流が不必要にモーターに継続して供給されることがなく、モーターの起動時の消費電力の低減を図ることができると共にモーターの起動が開始されない場合においても無駄な電力の消費を防止することができる。
【００１６】
また、初期起動電流の供給から最大起動電流の供給の停止までの時間が一定時間に制限されているため、モーターの起動までの時間が不必要に長くなってしまうことがない。
【００１７】
請求項２に記載した発明にあっては、上記所定の時間内にモーターの起動が開始されなかったときに、通常起動電流以上の初期起動電流をモーター駆動手段からモーターに供給するようにしたので、モーターの起動の開始を確実に行うことができる。
【００１８】
請求項３に記載した発明にあっては、上記駆動処理手段に対して指令信号を送出し駆動処理手段に所定の処理を実行させ上記電流供給時間の所定の時間を設定する駆動制御手段を備えた電子機器に設けられ、駆動制御手段によって設定された電流供給時間を上限として駆動処理手段からモーター駆動手段に電流供給信号を送出するようにしたので、各データーの大きさや種類、メモリー（主記憶装置）の記憶容量の大きさ等に基づいて電流供給時間の設定を行うことができるため、モーターの起動についての最適な制御を行うことができ、モーターの省電力化に関する最適化を図ることができる。
【００１９】
本発明電子機器は、モーターと該モーターに起動電流を供給するモーター駆動手段と該モーター駆動手段に電流供給信号を送出しモーター駆動手段からモーターに供給される電流値を制御する駆動処理手段とを有するモーター駆動装置を備えた電子機器であって、モーターの起動が開始されると想定される通常起動電流より低い初期起動電流をモーター駆動手段からモーターに供給し、モーターの起動のために最大限必要と想定される最大起動電流を上限として、モーターの起動が開始されるまで段階的に電流値を引き上げて起動電流をモーター駆動手段からモーターに供給し、モーターの起動が開始された時点で起動電流の供給を停止し、初期起動電流の供給の開始から最大起動電流の供給の停止までの電流供給時間を所定の時間に制限したことを特徴とする。
【００２０】
従って、モーターの起動が開始されなかった場合においても最大起動電流が不必要にモーターに継続して供給されることがなく、モーターの起動時の消費電力の低減を図ることができると共にモーターの起動が開始されない場合においても無駄な電力の消費を防止することができる。
【００２１】
また、初期起動電流の供給から最大起動電流の供給の停止までの時間が一定時間に制限されているため、モーターの起動までの時間が不必要に長くなってしまうことがない。
【００２２】
請求項５に記載した発明にあっては、上記所定の時間内にモーターの起動が開始されなかったときに、通常起動電流以上の初期起動電流をモーター駆動手段からモーターに供給するようにしたので、モーターの起動の開始を確実に行うことができる。
【００２３】
請求項６に記載した発明にあっては、上記駆動処理手段に対して指令信号を送出し駆動処理手段に所定の処理を実行させる駆動制御手段を設け、該駆動制御手段によって上記電流供給時間の所定の時間を設定するようにしたので、各データーの大きさや種類、メモリー（主記憶装置）の記憶容量の大きさ等に基づいて電流供給時間の設定を行うことができるため、モーターの起動についての最適な制御を行うことができ、モーターの省電力化に関する最適化を図ることができる。
【００２４】
本発明モーター駆動方法は、モーターと該モーターに起動電流を供給するモーター駆動手段と該モーター駆動手段に電流供給信号を送出しモーター駆動手段からモーターに供給される電流値を制御する駆動処理手段とを備えたモーター駆動装置におけるモーター駆動方法であって、モーターの起動が開始されると想定される通常起動電流より低い初期起動電流の供給の開始からモーターの起動のために最大限必要と想定される最大起動電流の供給の停止までの電流供給時間を所定の時間に制限し、初期起動電流をモーター駆動手段からモーターに供給し、最大起動電流を上限として、モーターの起動が開始されるまで段階的に電流値を引き上げて起動電流をモーター駆動手段からモーターに供給し、モーターの起動が開始された時点で起動電流の供給を停止するようにしたことを特徴とする。
【００２５】
従って、モーターの起動が開始されなかった場合においても最大起動電流が不必要にモーターに継続して供給されることがなく、モーターの起動時の消費電力の低減を図ることができると共にモーターの起動が開始されない場合においても無駄な電力の消費を防止することができる。
【００２６】
また、初期起動電流の供給から最大起動電流の供給の停止までの時間が一定時間に制限されているため、モーターの起動までの時間が不必要に長くなってしまうことがない。
【００２７】
請求項８に記載した発明にあっては、上記所定の時間内にモーターの起動が開始されなかったときに、通常起動電流以上の初期起動電流をモーター駆動手段からモーターに供給するようにしたので、モーターの起動の開始を確実に行うことができる。
【００２８】
請求項９に記載した発明にあっては、駆動制御手段によって上記電流供給時間の所定の時間を設定するようにしたので、各データーの大きさや種類、メモリー（主記憶装置）の記憶容量の大きさ等に基づいて電流供給時間の設定を行うことができるため、モーターの起動についての最適な制御を行うことができ、モーターの省電力化に関する最適化を図ることができる。
【発明を実施するための最良の形態】
【００２９】
以下に、本発明モーター駆動装置、電子機器及びモーター駆動方法の最良の形態を添付図面に従って説明する。
【００３０】
電子機器１は、例えば、ディスクプレーヤー等の音響装置、ビデオカメラ等の撮像装置、パーソナルコンピューター等の情報処理装置等のモーターを備えた各種の機器であり、駆動制御手段２とモーター駆動装置３とがインターフェース４を介して接続されている（図１参照）。
【００３１】
駆動制御手段２は、例えば、マイクロコンピューターやＣＰＵ（Central Processing Unit）等であり、モーター駆動装置３は、例えば、ハードディスク装置等のディスクドライブ装置である。
【００３２】
インターフェース４としては、モーター駆動装置３がハードディスク装置の場合には、例えば、ＡＴＡインターフェースが用いられる。
【００３３】
モーター駆動装置３は駆動処理手段５、モーター駆動手段６及びモーター７を備えている。
【００３４】
駆動処理手段５は、例えば、ＭＰＵ（Micro Processing Unit）であり、インターフェース４を介して駆動制御手段２と接続され、駆動制御手段２から送出される指令信号に基づいて所定の処理を実行する。
【００３５】
モーター駆動手段６は、例えば、モーター駆動ＩＣ（Integrated Circuit）であり、駆動処理手段５から送出された電流供給信号に基づいてモーター７に起動電流を供給し、モーター７に供給した起動電流によってモーター７の起動の開始の有無を駆動処理手段５に伝達する。
【００３６】
モーター７としては、モーター駆動装置３がハードディスク装置等のディスクドライブ装置の場合には、例えば、スピンドルモーターが用いられる。
【００３７】
以下に、モーター７の起動時の動作（起動シーケンス）について、図２に示すフローチャート図を参照して説明する。
【００３８】
（Ｓ１）駆動制御手段２によってモーター起動モードが指定され、モーター７についての起動動作が開始される。
【００３９】
（Ｓ２）省電力起動モード又は通常起動モードの何れかのモードが選択される。電子機器１が音響装置や撮像装置である場合には、例えば、音声データーや画像データーの保存のためにモーター７の起動を行うときには、モーター７の起動の迅速性及び確実性が要求されるため通常起動モードが選択され、例えば、ハードディスク等の記録媒体に記録された音声データーや画像データーの再生のためにモーター７の起動を行うときには、省電力起動モードが選択される。省電力起動モードが選択された場合には（Ｓ３）に移行し、省電力起動モードが選択されなかった場合には（Ｓ１２）に移行する。
【００４０】
（Ｓ３）省電力起動モードが選択された旨の指令信号が駆動制御手段２から駆動処理手段５に送出され、図３に示すように、省電力起動モードにおける動作が開始される。このとき同時に駆動制御手段２によって電流供給時間Ｔmaxが設定され、設定された電流供給時間Ｔmaxの時間信号が駆動処理手段５に送出される。電流供給時間Ｔmaxは、後述するモーター７への初期起動電流Ｉminの供給の開始から最大起動電流Ｉmaxの供給の停止までの時間である。電流供給時間Ｔmaxは、電子機器１の各部の性能、動作状態、例えば、主記憶装置であるメモリーの性能や容量、記録データーの容量、記録データーの種類等に基づいて、駆動制御手段２によって任意に設定可能とされている。
【００４１】
（Ｓ４）省電力起動モードにおける動作が開始されると、駆動制御手段２によって設定された電流供給時間Ｔmaxに基づいて電流増加幅Ｉdeltaが設定される。電流増加幅Ｉdeltaは、例えば、
電流増加幅Ｉdelta＝（最大起動電流Ｉmax−初期起動電流Ｉmin）×（待ち時間Ｔdelta／電流供給時間Ｔmax）
によって算出される。最大起動電流Ｉmaxは、モーター７の起動のために最悪の条件を考慮して最大限必要と想定される起動電流であり、予め設定されている。初期起動電流Ｉminは、通常の状態においてモーター７の起動が開始されると想定される通常起動電流Ｉnorより低い起動電流であり、例えば、通常起動電流Ｉnorのバラツキを考慮して、その最小値又はそれ未満の値が予め設定されている。待ち時間Ｔdeltaは、電流供給時間Ｔmax内において任意に設定可能であるが、Ｉdeltaを可能な限り小さく設定して省電力化を図るためには、電子機器１に設けられた各回路やソフトウェアが許容できる範囲内で可能な限り短時間に設定することが望ましい。
【００４２】
（Ｓ５）駆動処理手段５からモーター駆動手段６に送出された電流供給信号に基づいて、モーター駆動手段６から初期起動電流Ｉminがモーター７に供給される。
【００４３】
（Ｓ６）供給された初期起動電流Ｉminによってモーター７の起動が開始されたか否かがモーター駆動手段６によって検出され、検出結果が駆動処理手段５に送出される。モーター７の起動が開始された場合には動作が終了し、起動電流の供給が停止される。起動電流の供給の停止に引き続き加速シーケンスが開始され、モーター７が加速して回転される。モーター７の起動が開始されなかった場合には（Ｓ７）に移行する。
【００４４】
（Ｓ７）初期起動電流の供給開始からＴdelta経過したか否かが検出される。この検出は、例えば、モーター駆動手段６によって行われ、検出結果が駆動処理手段５に送出される。Ｔdelta経過していない場合には（Ｓ６）に移行し、引き続き（Ｓ６）及び（Ｓ７）の処理が行われる。Ｔdelta経過した場合には（Ｓ８）に移行する。
【００４５】
（Ｓ８）駆動処理手段５からモーター駆動手段６に送出された電流供給信号に基づいて、電流値が電流増加幅Ｉdelta引き上げられてモーター駆動手段６から起動電流がモーター７に供給される。
【００４６】
（Ｓ９）供給された起動電流によってモーター７の起動が開始されたか否かがモーター駆動手段６によって検出され、検出結果が駆動処理手段５に送出される。モーター７の起動が開始された場合には動作が終了し、起動電流の供給が停止される。起動電流の供給の停止に引き続き加速シーケンスが開始され、モーター７が加速して回転される。モーター７の起動が開始されなかった場合には（Ｓ１０）に移行する。
【００４７】
（Ｓ１０）起動電流の供給開始からＴdelta経過したか否かが検出される。この検出は、例えば、モーター駆動手段６によって行われ、検出結果が駆動処理手段５に送出される。Ｔdelta経過していない場合には（Ｓ９）に移行し、引き続き（Ｓ９）及び（Ｓ１０）の処理が行われる。Ｔdelta経過した場合には（Ｓ１１）に移行する。
【００４８】
（Ｓ１１）初期起動電流Ｉminの供給開始からの経過時間Ｔが検出される。この検出は、例えば、モーター駆動手段６によって行われ、検出結果が駆動処理手段５に送出される。経過時間Ｔが電流供給時間Ｔmax未満の場合には（Ｓ８）に移行し、引き続き（Ｓ８）乃至（Ｓ１１）の処理が行われ起動電流の供給が段階的に引き上げられる（図３参照）。経過時間Ｔが電流供給時間Ｔmaxに達した場合には省電力起動モードにおける動作が終了し、（Ｓ１２）に移行する。
【００４９】
（Ｓ１２）（Ｓ２）において省電力起動モードが選択されなかった場合、又は、（Ｓ１１）において省電力起動モードにおける動作が終了した場合には、通常起動モードが選択された旨の指令信号が駆動制御手段２から駆動処理手段５に送出され、通常起動モードにおける動作が開始される。
【００５０】
（Ｓ１３）供給された起動電流によってモーター７の起動が開始されたか否かがモーター駆動手段６によって検出され、検出結果が駆動処理手段５に送出される。通常起動モードにおいては、図４に示すように、通常の状態においてモーター７の起動が開始されると想定される通常起動電流Ｉnor以上の起動電流が初期起動電流Ｉ１としてモーター駆動手段６からモーター７に供給され、初期起動電流Ｉ１としては、例えば、通常起動電流Ｉnorのバラツキを考慮して、その最大値又はそれより大きな値が予め設定されている。
【００５１】
尚、通常起動モードにおいても、モーター７の起動が開始されるまで、図４に示すように、初期起動電流Ｉ１よりも高い起動電流Ｉ２、Ｉ３、・・・を最大起動電流Ｉmaxに達するまで段階的に供給するようにしてもよいが、初期起動電流Ｉ１の供給が開始されてから起動電流Ｉ２、Ｉ３、・・・が供給されるまでの経過時間Ｔ１、Ｔ２、・・・は予め固定値として設定されており、起動電流Ｉ２、Ｉ３、・・・も固定値として設定されている（図４には、例として、Ｔ３及びＩ３まで示す。）。
【００５２】
尚、一般に、初期起動電流として高い起動電流を供給した場合には、初期起動電流として低い起動電流を供給した場合に比し、モーターの起動率は高くなる。従って、通常起動モードにおいては、初期起動電流Ｉ１として通常起動電流Ｉnor以上の起動電流が供給されるため、省電力起動モードと比較して、確実かつ迅速にモーター７の起動が開始される。
【００５３】
モーター７の起動が開始された場合には動作が終了し、起動電流の供給が停止される。起動電流の供給の停止に引き続き加速シーケンスが開始され、モーター７が加速して回転される。モーター７の起動が開始されなかった場合には（Ｓ１４）に移行する。
【００５４】
（Ｓ１４）モーター７の起動が開始されなかった旨、即ち、モーター７の起動についてエラーが生じた旨がモーター駆動手段６から駆動処理手段５に報告され、動作が終了する。尚、このエラー報告に引き続き、通常起動モードにおける動作が再度行われるようにしてもよい。
【００５５】
尚、上記したように、（Ｓ５）において、モーター駆動手段６から初期起動電流Ｉminがモーター７に供給されるが、この初期起動電流Ｉminがモーター７に供給されるが、この初期起動電流Ｉminはモーター７の前回の起動時における電流に基づいて、これより稍小さい値に設定するようにしてもよい。
【００５６】
例えば、第１回目の初期起動電流Ｉminが２００ｍＡであり、電流増加幅Ｉdeltaが１００ｍＡであった場合にモーター７の起動が５００ｍＡで開始したときに、第２の回目の初期起動電流Ｉminを５００ｍＡより少し低い４００ｍＡに設定する。このように初期起動電流Ｉminを前回の起動時における電流より稍小さい値に設定することにより、初期起動電流Ｉminの供給からモーター７の起動までの時間の短縮化を図ることが可能である。
【００５７】
また、上記のように初期起動電流Ｉminを前回の起動時における電流より稍小さい値に設定すると、（Ｓ４）において示した計算式、即ち、
電流増加幅Ｉdelta＝（最大起動電流Ｉmax−初期起動電流Ｉmin）×（待ち時間Ｔdelta／電流供給時間Ｔmax）
に基づいて算出される電流増加幅Ｉdeltaを小さくすることができる。
【００５８】
例えば、最大起動電流Ｉmaxが７００ｍＡ、（待ち時間Ｔdelta／電流供給時間Ｔmax）が０．２であったとすると、上記の第１回目の場合は初期起動電流Ｉminが２００ｍＡに設定されているため電流増加幅Ｉdeltaは１００ｍＡとなるが、第２回目の場合は初期起動電流Ｉminが４００ｍＡに設定されているため電流増加幅Ｉdeltaは６０ｍＡとなる。従って、第２回目の場合は電流が４００ｍＡ、４６０ｍＡ、５２０ｍＡ、５８０ｍＡ、・・・のように６０ｍＡ間隔で供給される。
【００５９】
このとき、例えば、モーター７が実際には４３０ｍＡ乃至４５０ｍＡで起動が開始される特性を有しているとすると、第１回目は５００ｍＡでなければ起動が開始されないのに対し第２回目は４６０ｍＡで起動が開始される。従って、初期起動電流Ｉminを前回の起動時における電流より稍小さい値に設定して電流増加幅Ｉdeltaを小さくすることにより、モーター７の起動がより適正な起動電流によって開始され消費電力の低減を図ることができる。
【００６０】
以上に記載した通り、電子機器１にあっては、省電力起動モードにおいて、所定の時間に設定された電流供給時間Ｔmax内で最大起動電流Ｉmaxを上限として、通常起動電流Ｉnorより低い初期起動電流Ｉminから段階的に引き上げて電流をモーター７に供給するようにしたので、モーター７の起動が開始されなかった場合においても最大起動電流Ｉmaxが不必要にモーター７に継続して供給されることがなく、モーター７の起動時の消費電力の低減を図ることができると共にモーター７の起動が開始されない場合においても無駄な電力の消費を防止することができる。
【００６１】
また、初期起動電流Ｉminの供給から最大起動電流Ｉmaxの供給の停止までの時間が一定時間に制限されているため、モーター７の起動までの時間が不必要に長くなってしまうことがない。
【００６２】
さらに、電子機器１にあっては、所定の時間に設定された電流供給時間Ｔmax内でモーター７の起動が開始されなかったときには、通常起動モードにモードが切り替わり、通常起動電流Ｉnor以上の初期起動電流Ｉ１をモーター駆動手段６からモーター７に供給するようにしたので、モーター７の起動の開始を確実に行うことができる。
【００６３】
尚、電子機器１が、例えば、音響装置や再生装置である場合には、一般に、音声や映像の再生は、一定時間再生可能な音声データー又は画像データーが主記憶装置として用いられるメモリーに取り込まれて再生され、メモリーに音声データー又は画像データーが取り込まれた段階でモーター駆動装置（例えば、ハードディスク装置）のモーターの駆動が停止され、メモリーに取り込まれた音声データー又は画像データーが不足したときにモーターが再起動されてメモリーへの不足分の音声データー又は画像データーの取り込みが行われるという動作が繰り返し行われる。従って、モーターの起動動作に割り当てることができる時間は、音声データー又は画像データーの大きさやメモリーの記憶容量等によって定まるため、モーター駆動装置に起動動作の割り当て時間を設定させることは困難である。
【００６４】
従って、電子機器１のように、駆動制御手段２によって電流供給時間Ｔmaxが設定されるようにし、この設定された電流供給時間Ｔmaxを上限として駆動処理手段５からモーター駆動手段６に電流供給信号が送出されるようにすることにより、各データーの大きさや種類、メモリーの記憶容量の大きさ等に基づいて電流供給時間Ｔmaxの設定を行うことができるため、モーター７の起動についての最適な制御を行うことができ、モーター７の省電力化に関する最適化を図ることができる。
【００６５】
尚、電子機器１が、例えば、パーソナルコンピューター等の情報処理装置である場合には、ユーザーに対する応答性の向上を図るために、通常起動モードを主体とした動作方式を採用するようにしてもよい。
【００６６】
また、バッテリー駆動によりモーター７が回転される機器においては、例えば、バッテリーの残容量が大きなときには通常起動モードが選択され、バッテリーの残容量が小さなときには省電力起動モードが選択されるようにする等、バッテリーの残容量に基づいて省電力起動モードと通常起動モードの切替が自動又は手動で行えるようにしてもよい。
【００６７】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６８】
【図１】図２乃至図４と共に本発明の最良の形態を示すものであり、本図は、電子機器の概念図である。
【図２】モーターの起動時の動作を示すフローチャート図である。
【図３】省電力起動モードにおける時間と電流の関係を示すグラフ図である。
【図４】通常起動モードにおける時間と電流の関係を示すグラフ図である。
【符号の説明】
【００６９】
１…電子機器、２…駆動制御手段、３…モーター駆動装置、５…駆動処理手段、６…モーター駆動手段、７…モーター
【図１】
2005102386.tif 000003
【図２】
2005102386.tif 000004
【図３】
2005102386.tif 000005
【図４】
2005102386.tif 000006